(57)【特許請求の範囲】
【請求項１】
第１の樹脂材料からなる第１樹脂部と第２の樹脂材料からなる第２樹脂部とが接合されている樹脂部品であって、
前記第１樹脂部と前記第２樹脂部との何れか一方が他方に向って入り込み、該入り込み部は複数の断続した凹部を有し、
前記第１樹脂部と前記第２樹脂部との境界部位には、前記入り込み部の入り込み方向に沿って並ぶ複数の突起が形成され、
前記複数の断続した凹部は、前記複数の突起の間に配置されていることを特徴とする樹脂部品。
【請求項２】
前記入り込み部は、該入り込み方向と直交する方向に沿って、前記複数の断続した凹部が配置されていることを特徴とする請求項１に記載の樹脂部品。
【請求項３】
第１の樹脂材料からなる第１樹脂部と第２の樹脂材料からなる第２樹脂部とが接合されている樹脂部品の成形方法であって、
成形後の前記樹脂部品の前記第１樹脂部が成形される第１成形部と成形後の前記樹脂部品の前記第２樹脂部が成形される第２成形部との境界部位に複数の突起が配置されているキャビティに対して、前記第１成形部に前記第１の樹脂材料を供給すると共に、前記第２成形部に前記第２の樹脂材料を、前記第１の樹脂材料の供給圧力とは異なる供給圧力で供給することを特徴とする樹脂部品の成形方法。
【請求項４】
第１の樹脂材料からなる第１樹脂部と第２の樹脂材料からなる第２樹脂部とが接合されている樹脂部品の成形装置であって、
成形後の前記樹脂部品の前記第１樹脂部が成形される第１成形部と成形後の前記樹脂部品の前記第２樹脂部が成形される第２成形部との境界部位に複数の突起が配置されているキャビティと、
前記第１成形部に前記第１の樹脂材料を供給する第１供給ノズルと、
前記第２成形部に前記第２の樹脂材料を供給する第２供給ノズルと、
前記第２の樹脂材料を、前記第１の樹脂材料の供給圧力とは異なる供給圧力で供給する制御手段とを備えたことを特徴とする樹脂部品の成形装置。
【発明の詳細な説明】
【技術分野】
【０００１】
本発明は、複数の樹脂材料からなる樹脂部品及びその成形方法、成形装置に関する。
【背景技術】
【０００２】
従来は、エアバッグドアは、車両のインストルメントパネルとは別個に形成され、インストルメントパネルの開口部に嵌め込まれ、インストルメントパネルに取り付けられていた。【０００３】
しかし、近年、取付作業を効率化するために、インストルメントパネルとエアバッグドアを一体的に、射出成形により形成されることがある（例えば、特許文献１参照）。
【先行技術文献】
【特許文献】
【０００４】
【特許文献１】特開平９−２２６４１３号公報
【発明の概要】
【発明が解決しようとする課題】
【０００５】
しかしながらインストルメントパネルとエアバッグドアとは、それぞれの適性に合せて樹脂材料が選択されるので、樹脂材料が相違する。そのため、特許文献１などに記載された従来の技術では、接合強度が十分に確保できない場合もあった。【０００６】
本発明は、以上の点に鑑み、接合強度の向上を図ることができる、樹脂部品及びその成形方法、成形装置を提供することを目的とする。
【課題を解決するための手段】
【０００７】
本発明の樹脂部品は、第第１の樹脂材料からなる第１樹脂部と第２の樹脂材料からなる第２樹脂部とが接合されている樹脂部品であって、前記第１樹脂部と前記第２樹脂部との何れか一方が他方に向って入り込み、該入り込み部は複数の断続した凹部を有し、前記第１樹脂部と前記第２樹脂部との境界部位には、前記入り込み部の入り込み方向に沿って並ぶ複数の突起が形成され、前記複数の断続した凹部は、前記複数の突起の間に配置されていることを特徴とする。
【０００８】
本発明の樹脂部品によれば、第１樹脂部と第２樹脂部との何れか一方から他方への入り込み部は複数の断続した凹部を有しているので、このような凹部が存在しない場合と比較して接合面積が増大するので、第１樹脂部と第２樹脂部との接合強度の向上を図ることが可能となる。【０００９】
本発明の樹脂部品において、前記入り込み部は、該入り込み方向と直交する方向に沿って、前記複数の断続した凹部が配置されていることが好ましい。【００１０】
この場合、入り込み部が入り込み方向と直交する方向に延びる場合である場合も、第１樹脂部と第２樹脂部との接合強度の向上を図ることが可能となる。【００１１】
本発明の樹脂部品の成形方法は、成形後の前記樹脂部品の前記第１樹脂部が成形される第１成形部と成形後の前記樹脂部品の前記第２樹脂部が成形される第２成形部との境界部位に複数の突起が配置されているキャビティに対して、前記第１成形部に前記第１の樹脂材料を供給すると共に、前記第２成形部に前記第２の樹脂材料を、前記第１の樹脂材料の供給圧力とは異なる供給圧力で供給することを特徴とする。【００１２】
本発明の樹脂部品の成形方法によれば、キャビティに配置された複数の突起の隙間から、第１の樹脂材料又は第２の樹脂材料のうち供給圧力が大きなほうが他のほうへ入り込む。そして、この入り込みの度合いは部位において異なる。これにより、成形品である樹脂部品において、第１樹脂部と第２樹脂部との何れか一方から他方への入り込み部は複数の凹部を有することにより、第１樹脂部と第２樹脂部との接合強度の向上を図ることが可能となる。【００１３】
本発明の樹脂部品の成形装置は、第１の樹脂材料からなる第１樹脂部と第２の樹脂材料からなる第２樹脂部とが接合されている樹脂部品の成形装置であって、成形後の前記樹脂部品の前記第１樹脂部が成形される第１成形部と成形後の前記樹脂部品の前記第２樹脂部が成形される第２成形部との境界部位に複数の突起が配置されているキャビティと、前記第１成形部に前記第１の樹脂材料を供給する第１供給ノズルと、前記第２成形部に前記第２の樹脂材料を供給する第２供給ノズルと、前記第２の樹脂材料を、前記第１の樹脂材料の供給圧力とは異なる供給圧力で供給する制御手段とを備えたことを特徴とする。【００１４】
本発明の樹脂部品の成形装置によれば、キャビティに配置された複数の突起の隙間から、第１の樹脂材料又は第２の樹脂材料のうち供給圧力が大きなほうが他のほうへ入り込む。そして、この入り込みの度合いは部位により異なる。これにより、成形品である樹脂部品において、第１樹脂部と第２樹脂部との何れか一方から他方への入り込み部は複数の凹部を有することになるので、第１樹脂部と第２樹脂部との接合強度の向上を図ることが可能となる。
【図面の簡単な説明】
【００１５】
【図１】本発明の実施形態に係るインストルメントパネルの部分概念上面図。
【図２】インストルメントパネルの模式的断面図。
【図３】本発明の実施形態に係るインストルメントパネルの成形装置の射出形成金型を模式的に示す断面図であって、枠状コアが分離位置に位置する状態を示す。
【図４】枠状コア及びその付近を模式的に示す斜視図。
【図５】インストルメントパネルの成形装置の射出形成金型を模式的に示す断面図であって、枠状コアが一体位置に位置する状態を示す。
【発明を実施するための形態】
【００１６】
本発明の樹脂部品の実施形態に係るインストルメントパネル１０について説明する。
【００１７】
図１に示すように、車両のインストルメントパネル１０は、本発明の第１の樹脂材料に相当する基材Ｍ１からなり、本発明の第１樹脂部に相当する基材部２０と、本発明の第２の樹脂材料に相当し、基材Ｍ１とは異なる異材Ｍ２からなり、本発明の第２樹脂部に相当する異材部３０とから構成されている。なお、図示しないが、インストルメントパネル１０には、表皮、メータバイザ、化粧板など取り付けられる。
【００１８】
基材部２０は、インストルメントパネル１０の本体部を構成している。基材部２０は、インストルメントパネルに通常使用される樹脂材料である基材Ｍ１、ここでは、ポリプロピレン（ＰＰ）によって形成されている。基材部２０には開口２１が形成されている。
【００１９】
異材部３０は、図示しない助手席用のエアバッグ装置用のドア（蓋ともいう、以下、エアバッグドアという。）を構成している。異材部３０は、エアバッグドアに通常使用される樹脂材料である異材Ｍ２、ここでは、オレフィン系エラストマー（ＴＰＯ）によって形成されている。本実施形態では、異材Ｍ２の熱収縮率は、基材Ｍ１の熱収縮率よりも大きい。
【００２０】
異材部３０は、エアバッグ装置の袋体の展開時に破断されやすい脆弱部３１を有している。脆弱部３１は、例えば、他の部分よりも薄肉に形成されたＨ字状のテイアラインである。
【００２１】
基材部２０が異材部３０を全周に亘って取り囲むようにして、基材部２０と異材部３０とが接合されている。具体的には、基材部２０に形成された開口２１を塞ぐようにして、異材部３０は開口２１に配置されている。
【００２２】
図２に示すように、基材部２０と異材部３０とは、その境界部位において、インストルメントパネル１０の厚み方向（上下方向）において、基材Ｍ１と異材Ｍ２とが重なり合っている。具体的には、基材部２０と異材部３０との境界部位では、異材Ｍ２が異材部３０側から基材部２０側に入り込んで基材Ｍ１と混じり合って突出しており、入り込み部３３を形成している。この入り込み部３３により、基材部２０と異材部３０とが強固に接合されている。
【００２３】
図２においては、基材Ｍ１は白地で、異材Ｍ２は黒地で、これらが混じり合った入り込み部３３は異材Ｍ２の割合に応じた濃さで模式的に示されている。なお、図２に示す入り込み部３３の形状及び異材Ｍ２の混じり具合は模式的に示した一例に過ぎない。
【００２４】
さらに、図１に示すように、入り込み部３３は、インストルメントパネル１０の厚み方向と直交する方向（水平面方向）においても、基材Ｍ１と異材Ｍ２とが混在している。
【００２５】
具体的には、入り込み部３３は、異材Ｍ２が異材部３０側から基材部２０側に入り込むようにして基材Ｍ１と混じり合って広がっており、異材Ｍ２の基材Ｍ１への入り込み代が多数か所で途切れて、いわば花弁状になっている。このように、入り込み部３３は、複数の断続した凹部を有している。この凹部によって、基材部２０と異材部３０とはさらに強固に接合されている。
【００２６】
入り込み部３３のそれぞれは、上述したインストルメントパネル１０の厚み方向における異材Ｍ２の基材Ｍ１への入り込みと相まって、いわば大略円錐形状又はこれが広がった形状となっている。
【００２７】
図１においては、異材Ｍ２が基材Ｍ１に侵入した入り込み部３３を異材Ｍ２の濃度に応じた濃さで模式的に示されている。なお、図１に示す入り込み部３３の形状は模式的に示した一例に過ぎない。
【００２８】
基材部２０と異材部３０との境界部位の外側近傍には、後述するように枠状コア１１３に閉じられていたキャビティ２４０の境界を示す微小な突起４１が存在する。そして、この突起４１の間に、基材部２０と異材部３０との境界部位が存在している。そして、一方の突起４１は基材部２０の上面に、他方の突起４１は異材部３０の上面に形成されている。なお、基材部２０と異材部３０との境界部位は、これら突起４１の中間位置よりも基材部２０側に位置して位置している。
【００２９】
そして、図１に示すように、インストルメントパネル１０において、入り込み部３３よりも異材部３０側の部分に、すなわち、異材部３０の境界部位に近接する部分に、複数の貫通孔３２が形成されている。複数の貫通孔３２は脆弱部３１を取り囲むように形成されている。
【００３０】
ここでは、図３に示すように、各貫通孔３２は、上面視でＶ字形状をなし、Ｖ字形状の３つの端点を結んでなる３辺からなる領域内に、他の貫通孔３２のＶ字形状の２辺の結合点、すなわち、Ｖ字形状の突起点が位置するようにして、オーバラップしている。
【００３１】
さらに具体的には、各貫通孔３２は、基材部２０と異材部３０との境界部位の長手方向に平行に、Ｖ字形状がオーバラップして連続的に一列に配置されている。一例として、基材部２０及び異材部３０の厚さが３．５ｍｍ、異材部３０の上面視における長辺が２９０ｍｍ、短辺が１９０ｍｍである場合、各貫通孔３２のＶ字形状は、例えば、線幅が１．０ｍｍ、角度が３０度、１辺の長さ２５ｍｍ、隣り合うＶ字形状の辺の間隔が８ｍｍである。
【００３２】
なお、貫通孔３２の形状はＶ字形状に限定されない。貫通孔３２の形状は、例えば、Ｕ字形状、Ｗ字形状、波形状など、屈曲している部分を少なくとも有することが好ましい。また、貫通孔３２の形状は、屈曲している部分を有さないものであってもよく、直線状、円形状、楕円形状などであってもよい。また、貫通孔３２の形状は、複数の形状が混在するものであってもよい。
【００３３】
また、隣り合う貫通孔３２がオーバラップしていることが好ましいが、これに限定されない。また、複数の貫通孔３２のうちの一部のみがオーバラップしていてもよい。
【００３４】
また、複数の貫通孔３２は、基材部２０と異材部３０との境界部位の長手方向に平行に、連続して一列に配置されていることが好ましいが、これに限定されない。例えば、複数列に配置されていてもよいし、千鳥足状に、あるいはランダムに、又はまばらに配置されていてもよい。
【００３５】
また、各貫通孔３２は、厚さ方向において断面形状が異なっていてもよい。そして、貫通孔３２が厚さ方向に対向する内壁面が当接して隙間が消失していてもよい。
【００３６】
さらに、貫通孔３２の代わりに、底を有した孔（有底孔、溝）を設けてもよい。有底孔を設けた場合も、貫通孔３２の場合について述べたように、様々な形状を採ることができる。
【００３７】
なお、有底孔は、異材部３０の裏面に開口していることが好ましい。これにより、インストルメントパネル１０の意匠面である表面に、有底孔の開口が存在しないので、外観の見栄えの向上を図ることが可能となる。
【００３８】
次に、インストルメントパネル１０を成形する際に使用されるインストルメントパネルの成形装置を構成する射出成形金型１００について説明する。
【００３９】
図３に示すように、射出成形金型１００は、上型１１０、下型１２０、及び中子１３０を有している。上型１１０に対して下型１２０を相対的に接近することにより型締めが行われ、上型１１０に対して下型１２０が相対的に離間することにより型開きが行われる。
【００４０】
上型１１０と下型１２０とにより型締めが行われることにより、インストルメントパネル１０が成形されるキャビティ１４０が形成される。キャビティ１４０は、基材部成形部１４１と異材部成形部１４２とを有している。なお、基材部成形部１４１は本発明の第１樹脂部成形部に、異材部成形部１４２は本発明の第２樹脂部成形部にそれぞれ相当する。
【００４１】
上型１１０は、基材Ｍ１を基材部成形部１４１に注入する基材供給ノズル１１２と、異材Ｍ２を異材部成形部１４２に注入する異材供給ノズル１１１と、枠状コア１１３とを備えている。なお、基材供給ノズル１１２は本発明の第１供給ノズルに、異材供給ノズル１１１は本発明の第２供給ノズルにそれぞれ相当する。
【００４２】
枠状コア１１３は、異材供給ノズル１１１の周囲を取り囲むように配置されている。枠状コア１１３は、キャビティ１４０の一部の領域を、一時的にキャビティ１４０の他の領域から分離した状態とする機能を有する。
【００４３】
枠状コア１１３によって分離されたキャビティ１４０の当該一部の領域は、異材供給ノズル１１１から注入された異材Ｍ２が充填されて異材部３０が成形される異材部成形部１４２を構成する。当該一部の領域以外のキャビティ１４０の他の領域は、基材供給ノズル１１２から注入された基材Ｍ１が充填されて基材部２０が成形される基材部成形部１４１を構成する。
【００４４】
枠状コア１１３は、枠状コア１１３によって区画された内部領域に充填された異材Ｍ２と、枠状コア１１３によって区画された外部領域に充填された基材Ｍ１とが接触しないように、基材Ｍ１と異材Ｍ２とを分離した状態とする機能を有する。なお、図示しないが、異材部成形部１４２には、異材部３０に脆弱部３１を形成するための凸部が、下型１２０から上方に向って突出するように設けられている。
【００４５】
枠状コア１１３は、上型１１０に対して、下型１２０に向う方向に移動可能に構成されている。ここでは、図４に示すように、枠状コア１１３は、中央部に長方形状の貫通孔１１３ａを有する外枠略長方形状の枠体である。枠状コア１１３の外枠の各辺に相当する部分における、上型１１０から下型１２０に向う方向における断面は、図３及び図４に示すように、上型１１０側が底辺となるＬ字形状になっている。
【００４６】
図３に示すように、上型１１０は、異材供給ノズル１１１の先端部分の周囲を取り囲むように設けられた注入部周囲部１１４を有している。注入部周囲部１１４の上側部分１１４ａ及び下側部分１１４ｂは、その中央部分１１４ｃよりも全体に亘って略フランジ状に拡大している。注入部周囲部１１４の中央部分１１４ｃは、枠状コア１１３の貫通孔１１３ａの内周面に倣った外周面を有しており、この外周面に沿って枠状コア１１３が移動可能に構成されている。
【００４７】
注入部周囲部１１４の下側部分１１４ｂの下面は、キャビティ１４０の異材部成形部１４２の下面を構成する下型１２０の上面と対向して位置している。これら対向する面と下型１２０に当接した枠状コア１１３の側壁１１３ｂの内壁面とによって囲まれた空間が、キャビティ１４０の異材部成形部１４２を構成する。
【００４８】
図４に示すように、枠状コア１１３の上面の四隅には、円柱形状を有するスライドガイド１１５が、上方に延びており、各スライドガイド１１５が上型１１０に形成された図示しない円柱形状の穴１１６（図３参照）によってガイドされることによって、枠状コア１１３は、上型１１０本体に対して移動可能に構成されている。
【００４９】
また、枠状コア１１３の上端面の長手方向における両端部には、上型１１０に対して固定的に設けられた一対のシリンダ１１７のピストンの先端部がそれぞれ接続されている。これらシリンダ１１７のピストンの進退動により、枠状コア１１３は、上型１１０本体に対して進退動する。シリンダ１１７のピストンが伸長して、枠状コア１１３が下型１２０側に向って移動して、図３に示すように、下型１２０の上面に当接したときに、枠状コア１１３は、キャビティ１４０を基材部成形部１４１と異材部成形部１４２とに分離した状態にする分離位置に位置する。
【００５０】
シリンダ１１７のピストンが短縮して、枠状コア１１３が、図５に示すように下型１２０から離間して、上型１１０内に収容されたとき、枠状コア１１３は、キャビティ１４０を基材部成形部１４１と異材部成形部１４２とを分離しておらず一体の状態とする一体位置に位置する。このように、枠状コア１１３は、分離位置と一体位置との間を選択的に移動することが可能である。
【００５１】
中子１３０は、異材部３０に貫通孔３２を形成するための型である。中子１３０は、周知に手段により、下型１２０に固定される。ただし、中子１３０は、上型１１０に固定されていてもよく、さらに、分割されて上型１１０及び下型１２０に固定されていてもよい。
【００５２】
中子１３０は、枠状コア１１３が分離位置に位置した状態において、枠状コア１１３の側壁１１３ｂの内側の内方を全周に亘って、複数の突起１３１が取り囲むように構成されている。各突起１３１の形状は、Ｖ字形状であり、基材部２０及び異材部３０の厚さなどが前述したものである場合、例えば、線幅が１．０ｍｍ、角度が３０度、１辺の長さ２５ｍｍ、隣り合うＶ字形状の辺の間隔が８ｍｍである。
【００５３】
中子１３０の突起１３１は、キャビティ１４０内において異材部成形部１４２の外周部より内側の部分に全周に亘って位置している。
【００５４】
次に、本発明の樹脂部品の成形方法の実施形態に係るインストルメントパネル１０の成形装置を用いた、本発明の樹脂部品の成形方法の実施形態に係るインストルメントパネル１０の成形方法について説明する。
【００５５】
インストルメントパネル１０の成形方法は、キャビティ分離工程Ｓ１１、基材充填工程Ｓ１２、異材充填工程Ｓ１３、枠状コア開き工程Ｓ１４、異材押圧工程Ｓ１５、突起退避工程Ｓ１６、及び型開き工程Ｓ１７を有する。
【００５６】
まず、キャビティ分離工程Ｓ１１を行う。キャビティ分離工程Ｓ１１では、まず、下型１２０を上型１１０に対して相対的に前進移動させて型締めを行い、図３に示すように、キャビティ１４０を形成する。このとき、枠状コア１１３は分離位置に存在しており、枠状コア１１３によって、キャビティ１４０は基材部成形部１４１と異材部成形部１４２とに分離されている。このとき、中子１３０の突起１３１は、キャビティ１４０内において異材部成形部１４２の外周部より内側の部分に全周に亘って位置している。
【００５７】
次に、基材充填工程Ｓ１２を行う。基材充填工程Ｓ１２では、図５に示すように、基材供給ノズル１１２から基材Ｍ１を注入して基材部成形部１４１を充填する。そして、基材供給ノズル１１２から基材Ｍ１を注入する圧力によって、基材部成形部１４１内の基材Ｍ１には第１の圧力が作用している。基材Ｍ１を注入する圧力は、図示しない制御手段によって制御される。
【００５８】
次に、異材充填工程Ｓ１３を行う。異材充填工程Ｓ１３では、図５に示すように、異材供給ノズル１１１（図３参照）から異材Ｍ２を注入して異材部成形部１４２に対して充填する。そして、異材供給ノズル１１１から異材Ｍ２を注入する圧力により、異材部成形部１４２内の異材Ｍ２には第１の圧力よりも大きな第２の圧力が作用している。異材Ｍ２を注入する圧力は、図示しない制御手段によって制御される。
【００５９】
次に、枠状コア開き工程Ｓ１４を行う。枠状コア開き工程Ｓ１４では、基材充填工程Ｓ１２において基材Ｍ１に第１の圧力が作用し、且つ、異材Ｍ２に第２の圧力が作用した状態を維持したまま、枠状コア１１３を下型１２０に対して後退させて、枠状コア１１３を開いて一体位置に移動させ、基材部成形部１４１と異材部成形部１４２とが分離して状態から、これらが一体となる状態に移行させる。
【００６０】
枠状コア開き工程Ｓ１４を行うと同時に、異材押圧工程Ｓ１５を行う。異材押圧工程Ｓ１５では、基材Ｍ１に第１の圧カが作用した状態を維持したまま、これと同時に、異材Ｍ２に第２の圧力を作用させ続ける。
【００６１】
これにより、基材Ｍ１及び異材Ｍ２は、枠状コア１１３が存在していた部分のキャビティ１４０の空間内に侵入して広がり、基材Ｍ１と異材Ｍ２とが接触して混在する。そして、基材Ｍ１及び異材Ｍ２の上型１１０又は下型１２０に当接している部分は、これらへの熱引けが大きく、内部に比べて早く凝固する。
【００６２】
このため、凝固が遅い中央部において、大きな第２の圧力が付与されている異材Ｍ２は、これより小さな第１の圧力しか付与されおらず、且つまだ凝固していない基材Ｍ１を押し除けて、基材Ｍ１の内部へ中央部ほど突出するようにして入り込む。このとき、中子１３０により外方への流動する異材Ｍ２の流動量が部位によって差が生じるので、異材Ｍ２の基材Ｍ１への入り込み部３３が多数か所で途切れて、いわば花弁状になる。
【００６３】
なお、図１において、入り込み部３３は色が濃いほど異材Ｍ２の割合が高いことを模式的に示している。そして、図１では、各入り込み部３３が同じ大きさいの同形状として表されているが、実際には、入り込み部３３の大きさや形状が部位によって相違し、場合によって、異材部３０の一辺に亘って入り込み部３３の先端が曲線又は直線状になる場合もある。
【００６４】
その後、基材Ｍ１及び異材Ｍ２は冷却され、枠状コア１１３の先端部が退避した部分において基材Ｍ１に異材Ｍ２が入り込んだ状態のまま固化する。
【００６５】
次に、型開き工程Ｓ１７を行う。型開き工程Ｓ１７では、下型１２０を上型１１０に対して相対的に後退移動させて型開きを行う。そして、基材部２０及び異材部３０により構成されるインストルメントパネル１０を、射出成形金型１００から取り外す。
【００６６】
なお、異材部成形部１４２には、異材部３０に脆弱部３１を形成するための図示しない凸部が、下型１２０から異材部成形部１４２の内方へ向って突出しているため、この凸部により、異材部３０に脆弱部３１が形成される。
【００６７】
また、中子１３０の突起１３１は、キャビティ１４０内において異材部成形部１４２の外周部より内側の部分に全周に亘って位置しているので、これら突起１３１により、これら突起１３１の外観形状に倣った複数の貫通孔が、異材部３０に形成される。
【００６８】
インストルメントパネル１０は、射出成形金型１００から取り外した後、さらに冷却されるが、このとき、射出成形金型１００により形状を規定されることはない。
【００６９】
異材Ｍ２の熱収縮率は、基材Ｍ１の熱収縮率よりも大きいので、射出成形金型１００から取り外した後の冷却によって、異材部３０が収縮する程度は、基材部２０が収縮する程度よりも大きい。そして、異材部３０は基材部２０によって取り囲まれているため、収縮差が開放され難い。そのため、複数の貫通孔が存在しなければ、収縮差によって、基材部２０と異材部３０の境界部位付近において歪みなどの変形が生じるおそれがある。
【００７０】
本実施形態では、基材部２０と異材部３０との境界部位において、異材Ｍ２の基材Ｍ１への入り込み部３３が多数か所で途切れて、いわば花弁状になっている。よって、基材部２０と異材部３０との接合強度の向上を図ることが可能である。
【００７１】
また、異材部３０の基材部２０の境界部位より内側に複数の貫通孔が形成されているので、冷却に伴い基材部２０及び異材部３０が収縮したとき、これらの収縮差を、各貫通孔が潰れるように変形することにより、吸収することができる。よって、インストルメントパネル１０の外観の向上を図ることが可能となる。前述した異材部３０の貫通孔３２は、冷却前の異材部３０の貫通孔が潰れて変形したものである。
【００７２】
また、異材部３０の貫通孔はオーバラップして連続的に形成されているので、変形を効果的に吸収することができ、インストルメントパネル１０の外観の向上をさらに図ることが可能となる。また、異材部３０の各貫通孔はＶ字形状であり、発明者が実験した結果、他の形状、例えば、直線状、円形状などと比較して、変形を効果的に吸収することが分った。
【００７３】
さらに、１つの射出成形金型１００にて形成されるキャビティ１４０によって、基材部２０及び異材部３０とを一体に成形することができる。よって、予め異材部３０を別個の射出成形金型を用いて成形する工程が必要でないので、インストルメントパネル１０を少ない工程数で作業効率良く成形することができる。
【００７４】
また、枠状コア１１３を用いてキャビティ１４０に異材部成形部１４２を区画するため、異材Ｍ２がキャビティ１４０内で必要以上に流動して異材Ｍ２の消費量が過大になることを抑制することができる。
【００７５】
また、基材部成形部１４１に基材Ｍ１を充填し、異材部成形部１４２に異材Ｍ２を充填した後に、枠状コア１１３を退避させて基材部成形部１４１と異材部成形部１４２とを連通することにより、異材Ｍ２を基材Ｍ１に入り込ませることができるので、基材部２０と異材部３０とを強固に接合することが可能となる。さらに、基材部２０と異材部３０の境界部位において基材Ｍ１と異材Ｍ２との熱収縮率の違いによる収縮を吸収することができ、基材Ｍ１と異材Ｍ２との熱収縮率の違いによって生ずる、型開き以降における歪みなどの変形を抑制することができる。
【００７６】
本発明は、上述した実施形態に限定されない。例えば、入り込み部３３は、異材部３０が基材部２０に向って入り込んだものである場合について説明した。しかし、入り込み部３３は、基材部２０が異材部３０に向って入り込んだものであってもよい。
【００７７】
また、中子１３０に複数のＶ字形状の突起１３１が形成されており、異材部３０に複数のＶ字形状の貫通孔、冷却後はＶ字形状の貫通孔３２が形成される場合について説明した。しかし、中子１３０に形成される突起１３１はこれに限定されず、上述した異材部３０に形成される貫通孔３２に形状が形成されるような形状であるものであってもよい。
【００７８】
さらに、異材部３０に形成される不連続部は貫通孔３２又は有底孔に限定されない。例えば、不連続部は、貫通孔又は有底孔の側壁部同士が接触した態様のものであってもよく、さらに、切り目などであってもよい。
【００７９】
また、上述したように異材部３０に形成される貫通孔３２でなく有底孔が形成されてもよく、この場合、中子１３０に形成される突起は、型締め状態において、上型１１０の下面又は下型１２０の上面との間に隙間を有するものとすればよい。
【００８０】
また、異材Ｍ２の熱収縮率が基材Ｍ１の熱収縮率よりも大きい場合について説明した。しかし、本発明はこれに限定されない。例えば、異材Ｍ２の熱収縮率が基材Ｍ１の熱収縮率よりも小さくてもよい。この場合、冷却に伴い基材部２０及び異材部３０が収縮したとき、これらの収縮差を、貫通孔などの不連続部が広がるように変形することにより、吸収
することができる。さらに、基材Ｍ１と異材Ｍ２とは、熱収縮率が同じであり、樹脂材料が単に色などが相違するだけであってもよい。
【００８１】
また、基材部２０が異材部３０を全周に亘って取り囲むようにして、基材部２０と異材部３０とが接合されている場合について説明した。しかし、本発明は、これには限定されず、基材部２０が異材部３０を少なくとも一部において取り囲むようにして、接合されていてもよい。この場合、異材部３０が基材部２０に取り囲まれた領域部分が基材部２０に拘束されるが、冷却時に生じる収縮差を、不連続部によって吸収することができる。
【００８２】
さらに、本発明は、基材部２０と異材部３０とが少なくとも一辺で接合されている場合であってもよい。この場合も、接合されている一辺において、異材部３０は基材部２０に拘束され、この辺に沿って冷却時に収縮差が生じるが、この収縮差を不連続部によって吸収することができる。
【００８３】
また、樹脂部品がインストルメントパネル１０である場合について説明した。しかし、本発明に係る樹脂製品は、インストルメントパネル１０に限定されず、基材Ｍ１からなる基材部と異材Ｍ２からなる異材部とが接合されたものであればよい。
【符号の説明】
【００８４】
１０…インストルメントパネル（樹脂部品）、  ２０…基材部（第１樹脂部）、  ２１…開口、  ３０…異材部（第２樹脂部）、  ３１…脆弱部、  ３２…貫通孔（不連続部）、  ３３…入り込み部、  ４１…突起、  １００…射出成形金型、  １１０…上型、  １１１…異材供給ノズル（第２供給ノズル）、  １１２…基材供給ノズル（第１供給ノズル）、  １１３…枠状コア、  １２０…下型、  １３１…突起、  １３０…中子、  １４０…キャビティ、  １４１…基材部成形部（第１樹脂部成形部）、  １４２…異材部成形部（第２樹脂部成形部）、  Ｍ１…基材（第１の樹脂材料）、  Ｍ２…異材（第２の樹脂材料）。
【図１】
0006738902.tif 000002
【図２】
0006738902.tif 000003
【図３】
0006738902.tif 000004
【図４】
0006738902.tif 000005
【図５】
0006738902.tif 000006